(57)【要約】  隣接関係機能に係る周辺セル情報の処理における時間短縮を図る。複数の基地局から送出されるそれぞれの電波を受信する複数のアンテナと、複数のアンテナからそれぞれの受信信号を並行して受信して復調信号を得る複数の受信部と、複数の受信部におけるそれぞれの受信信号の信号レベルが所定の閾値以上である場合に、複数の基地局に係る情報を上位局に向け報告し、この報告に基づく上位局からの情報取得要求に対応してそれぞれの復調信号中の報知情報を取得するように制御する制御部と、を備える。
2013129563.tif 000002
【特許請求の範囲】
【請求項１】
複数の基地局から送出されるそれぞれの電波を受信する複数のアンテナと、
前記複数のアンテナからそれぞれの受信信号を並行して受信して復調信号を得る複数の受信部と、
前記複数の受信部におけるそれぞれの受信信号の信号レベルが所定の閾値以上である場合に、前記複数の基地局に係る情報を上位局に向け報告し、この報告に基づく前記上位局からの情報取得要求に対応してそれぞれの前記復調信号中の報知情報を取得するように制御する制御部と、
を備えることを特徴とする移動端末装置。
【請求項２】
前記複数の基地局に係る情報は、前記複数の基地局に関するそれぞれの識別情報を含むことを特徴とする請求項１記載の移動端末装置。
【請求項３】
前記複数の基地局に係る情報は、前記複数の基地局に関するそれぞれの受信信号の信号レベルをさらに含むことを特徴とする請求項２記載の移動端末装置。
【請求項４】
前記報知情報は、前記複数の基地局のいずれかまたは全てを隣接関係に含めるか否かに関する情報を含むことを特徴とする請求項１記載の移動端末装置。
【請求項５】
前記複数の基地局に係る情報を前記上位局に向け報告するための送信信号を前記複数のアンテナの一つに対して送出する送信部を備え、
前記複数のアンテナの一つが前記上位局に向けて前記送信信号に係る電波を送信することを特徴とする請求項１乃至３のいずれか一に記載の移動端末装置。
【請求項６】
請求項１乃至５のいずれか一に記載される複数の基地局と上位局と移動端末装置とを備える無線通信システム。
【請求項７】
複数の基地局から送出されるそれぞれの電波を受信する複数のアンテナを備える移動端末装置における通信方法であって、
前記複数のアンテナからそれぞれの受信信号を並行して受信して復調信号を得るステップと、
前記それぞれの受信信号の信号レベルが所定の閾値以上である場合に、前記複数の基地局に係る情報を上位局に向け報告するステップと、
前記報告に基づく前記上位局からの情報取得要求に対応してそれぞれの前記復調信号中の報知情報を取得するステップと、
を含むことを特徴とする移動端末装置における通信方法。
【請求項８】
複数の基地局から送出されるそれぞれの電波を受信する複数のアンテナと、前記複数のアンテナからそれぞれの受信信号を並行して受信して復調信号を得る複数の受信部とを備える移動端末装置を構成するコンピュータに、
前記複数の受信部におけるそれぞれの受信信号の信号レベルが所定の閾値以上であるか否かを判定する処理と、
前記所定の閾値以上である場合に、前記複数の基地局に係る情報を上位局に向け報告する処理と、
前記報告に基づく前記上位局からの情報取得要求に対応してそれぞれの前記復調信号中の報知情報を取得する処理と、
を実行させるプログラム。
【発明の詳細な説明】
【技術分野】
【０００１】
［関連出願についての記載］
本発明は、日本国特許出願：特願２０１２−０４５８３５号（２０１２年  ３月  １日出願）の優先権主張に基づくものであり、同出願の全記載内容は引用をもって本書に組み込み記載されているものとする。
本発明は、移動端末装置、無線通信システム、移動端末装置における通信方法、およびプログラムに係り、特に、近隣関係となる基地局に対する処理技術に係る。
【背景技術】
【０００２】
近年、無線ネットワークシステムを効率的に運用するためには自動で最適化を行うネットワーク自己最適化機能（ＳＯＮ：Ｓｅｌｆ  Ｏｒｇａｎｉｚｉｎｇ  Ｎｅｔｗｏｒｋ）が有効とされている。この機能において、周辺セル（基地局）を追加または削除するか否かを実行する自動近隣関係（ＡＮＲ：Ａｕｔｏｍａｔｉｃ  Ｎｅｉｇｈｂｏｕｒ  Ｒｅｌａｔｉｏｎ）機能が用いられ、ネットワークの管理がなされる。【０００３】
特許文献１には、無線ネットワークにおいて、自動近隣関係機能の管理を容易にするシステムおよび方法が記載されている。このシステムは、動作および管理システムに関連付けられた情報に基づいて、近隣関係を追加または削除するか否かを確認する構成要素および／またはデバイスを含みうる。ここで、動作および管理システムは、追加レポートまたは削除レポートを基地局へディスパッチする。基地局は、セル間の近隣関係を含む近隣関係のセットおよび／または近隣関係テーブルの確立、更新、および／または、保持を行う。
【先行技術文献】
【特許文献】
【０００４】
【特許文献１】特表２０１１−５１８５３１号公報
【発明の概要】
【発明が解決しようとする課題】
【０００５】
なお、上記特許文献の全開示内容はその引用をもって本書に繰込み記載する。
以下の分析は、本発明によって与えられたものである。【０００６】
ＳＯＮにおけるＡＮＲ機能では、端末が一定値以上の受信レベルの基地局（セル）を見つけると、自身で報知情報の取得に向けて動作を行う。このため、受信信号の強度の高い基地局が複数検出された場合には、検出された複数の基地局に対して、順次、該当セルに対する受信信号レベルの測定と報知情報の取得を行わなければならない。このため、周辺セル情報の処理に時間がかかってしまう。【０００７】
したがって、本発明の目的は、ＡＮＲ機能に係る周辺セル情報の処理における時間短縮を図る移動端末装置、無線通信システムおよび移動端末装置における通信方法を提供することにある。
【課題を解決するための手段】
【０００８】
本発明の１つのアスペクト（側面）に係る移動端末装置は、複数の基地局から送出されるそれぞれの電波を受信する複数のアンテナと、複数のアンテナからそれぞれの受信信号を並行して受信して復調信号を得る複数の受信部と、複数の受信部におけるそれぞれの受信信号の信号レベルが所定の閾値以上である場合に、複数の基地局に係る情報を上位局に向け報告し、この報告に基づく上位局からの情報取得要求に対応してそれぞれの復調信号中の報知情報を取得するように制御する制御部と、を備える。【０００９】
本発明の他のアスペクト（側面）に係る移動端末装置における通信方法は、複数の基地局から送出されるそれぞれの電波を受信する複数のアンテナを備える移動端末装置における通信方法であって、複数のアンテナからそれぞれの受信信号を並行して受信して復調信号を得るステップと、それぞれの受信信号の信号レベルが所定の閾値以上である場合に、複数の基地局に係る情報を上位局に向け報告するステップと、この報告に基づく上位局からの情報取得要求に対応してそれぞれの復調信号中の報知情報を取得するステップと、を含む。【００１０】
本発明の別のアスペクト（側面）に係るプログラムは、複数の基地局から送出されるそれぞれの電波を受信する複数のアンテナと、複数のアンテナからそれぞれの受信信号を並行して受信して復調信号を得る複数の受信部とを備える移動端末装置を構成するコンピュータに、複数の受信部におけるそれぞれの受信信号の信号レベルが所定の閾値以上であるか否かを判定する処理と、所定の閾値以上である場合に、複数の基地局に係る情報を上位局に向け報告する処理と、この報告に基づく上位局からの情報取得要求に対応してそれぞれの復調信号中の報知情報を取得する処理と、を実行させる。
【発明の効果】
【００１１】
本発明によれば、複数のアンテナを用いて周辺セルのレベル測定と報知情報の受信とを複数のセルに対して並行して行うことで、処理時間の短縮を図ることが可能となる。
【図面の簡単な説明】
【００１２】
【図１】本発明の一実施例に係る無線通信システムの構成を示すブロック図である。
【図２】本発明の一実施例に係る移動端末装置の構成を示すブロック図である。
【図３】本発明の一実施例に係る無線通信システムの動作シーケンスを表す図である。
【発明を実施するための形態】
【００１３】
以下、本発明を実施するための形態について、概説する。なお、以下の概説に付記した図面参照符号は、専ら理解を助けるための例示であり、図示の態様に限定することを意図するものではない。
【００１４】
本発明の一実施形態に係る移動端末装置は、複数の基地局から送出されるそれぞれの電波を受信する複数のアンテナ（図２の１１ａ、１１ｂ）と、複数のアンテナからそれぞれの受信信号を並行して受信して復調信号を得る複数の受信部（図２の１２ａ、１２ｂ）と、複数の受信部におけるそれぞれの受信信号の信号レベルが所定の閾値以上である場合に、複数の基地局に係る情報を上位局に向け報告し、この報告に基づく上位局からの情報取得要求に対応してそれぞれの復調信号中の報知情報を取得するように制御する制御部（図２の１４）と、を備える。
【００１５】
移動端末装置において、複数の基地局に係る情報は、複数の基地局に関するそれぞれの識別情報を含むことが好ましい。
【００１６】
移動端末装置において、複数の基地局に係る情報は、複数の基地局に関するそれぞれの受信信号の信号レベルをさらに含むことが好ましい。
【００１７】
移動端末装置において、報知情報は、複数の基地局のいずれかまたは全てを隣接関係に含めるか否かに関する情報を含むことが好ましい。
【００１８】
移動端末装置において、複数の基地局に係る情報を上位局に向け報告するための送信信号を複数のアンテナの一つに対して送出する送信部（図２の１３）を備え、複数のアンテナの一つが上位局に向けて送信信号に係る電波を送信するようにしてもよい。
【００１９】
無線通信システムが上記の複数の基地局（図１の２０ａ、２０ｂ）と上位局（図１の２１に相当）と移動端末装置（図１の１０）とを備えるようにしてもよい。
【００２０】
以下、実施例に即し、図面を参照して詳しく説明する。
【実施例１】
【００２１】
図１は、本発明の一実施例に係る無線通信システムの構成を示すブロック図である。図１において、無線通信システムは、移動端末装置１０、基地局２０ａ、２０ｂ、２１を備える。移動端末装置１０は、後述するように複数のアンテナを備え、基地局２０ａ、２０ｂ、２１との間で電波の送受信を行い、所望の情報の送受を行う移動局に相当する。基地局２０ａ、２０ｂは、移動端末装置１０に対して周辺セル（ＣｅｌｌＡ、Ｂ）を形成し、基地局２１は、移動端末装置１０に対する上位局（Ｓｅｒｖｉｎｇ  Ｃｅｌｌ、ｅＮＢ（ｅｖｏｌｖｅｄ  Ｎｏｄｅ  Ｂ））に相当する。なお、移動端末装置１０と基地局２０ａ、２０ｂ、２１間の信号伝達のシーケンス（Ｓ１ａ、Ｓ１ｂ、Ｓ２、Ｓ３、Ｓ４ａ、Ｓ４ｂ、Ｓ５の各ステップ）については後述する。【００２２】
図２は、本発明の一実施例に係る移動端末装置の構成を示すブロック図である。図２において、移動端末装置１０は、アンテナ１１ａ、１１ｂ、受信部１２ａ、１２ｂ、送信部１３、制御部１４を備える。受信部１２ａ（１２ｂ）は、アンテナ１１ａ（１１ｂ）で受信した基地局２０ａ（２０ｂ）、２１からの信号を復調し、制御部１４に出力する。送信部１３は、制御部１４から出力される信号を変調してアンテナ１１ａ、１１ｂのいずれかから基地局２１に向けて送信する。【００２３】
制御部１４は、移動端末装置１０の主要機能を実現するものであり、プロセッサやメモリ、入出力回路を含み、メモリ上のプログラムを実行することで機能するように構成しても良い。以下の説明では、基地局２０ａ、２０ｂ、２１との間で信号を送受する受信部１２ａ、１２ｂ、送信部１３のＡＮＲに係る情報の送受における制御を主として説明し、本願発明に関わらない他の機能については、その説明を省略する。【００２４】
次に、無線通信システムの動作について説明する。図３は、本発明の一実施例に係る無線通信システムの動作シーケンスを表す図であり、図１における移動端末装置１０と基地局２０ａ、２０ｂ、２１との間の信号伝達のシーケンスを下方に対し時間方向で表したものである。【００２５】
ステップＳ１ａ、Ｓ１ｂにおいて、移動端末装置１０は、基地局２０ａ、２０ｂ（セルＡ、Ｂ）からのそれぞれの受信信号のレベル測定を並行して行い、それぞれの受信レベルの閾値を判定する。双方の受信レベルが所定の閾値以上であれば、以下の各ステップを順次実行する。【００２６】
ステップＳ２において、移動端末装置１０は、セルＡ、Ｂのそれぞれの受信レベルおよびそれぞれの識別情報であるＰＣＩ（Ｐｈｙｓｉｖａｌ  Ｃｅｌｌ  Ｉｄｅｎｔｉｔｙ）を基地局２１（ｅＮＢ（ｓｅｒｖｉｎｇ  ｃｅｌｌ））に報告する。【００２７】
ステップＳ３において、基地局２１は、移動端末装置１０から報告された受信レベルおよび識別情報に基づいて、該当セルを隣接関係に含めるか否かに関する情報である報知情報を受信するために必要な情報の取得を移動端末装置１０に対し要求する。ここで、必要な情報とは、報知情報を受信するために、対象となるセルの周波数情報及び報知情報の受信タイミングを計算するためのパラメータなどである。移動端末装置１０は、このパラメータによって受信信号中のどのタイミングで報知情報を受信すればよいのかを計算し、計算したタイミングで報知情報の受信を行う。【００２８】
ステップＳ４ａ、Ｓ４ｂにおいて、移動端末装置１０は、ステップＳ３で基地局２１から通知された情報を用いて基地局２０ａ、２０ｂから送られるデータブロック中に含まれるそれぞれの報知情報を並行して受信する。より具体的に３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）を例にとるならば、ＳＩＢ１（Ｓｙｓｔｅｍ  Ｉｎｆｏｒｍａｔｉｏｎ  Ｂｌｏｃｋ  Ｔｙｐｅ１）中に含まれるＥＣＧＩ（Ｅ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）  Ｃｅｌｌ  Ｇｌｏｂａｌ  Ｉｄｅｎｔｉｔｙ）、ｔｒａｃｋｉｎｇ  ａｒｅａ  ｃｏｄｅ、ａｌｌ  ＰＬＭＮ（Ｐｕｂｌｉｃ  Ｌａｎｄ  Ｍｏｂｉｌｅ  Ｎｅｔｗｏｒｋ）  ＩＤなどを取得する。なお、ＳＯＮの動作では、ＳＩＢ１の情報を取得する必要がある。この場合、報知情報の受信時では、ＳＩＢ１の受信に必要なタイミング情報は、ＭＩＢ（Ｍａｓｔｅｒ  Ｉｎｆｏｒｍａｔｉｏｎ  Ｂｌｏｃｋ）に含まれているため、ＭＩＢを受信してタイミング情報を取得後にＳＩＢ１の受信が可能となる。【００２９】
ステップＳ５において、移動端末装置１０は、基地局２１へ取得情報である基地局２０ａ、２０ｂのそれぞれのＥＣＧＩ、ｔｒａｃｋｉｎｇ  ａｒｅａ  ｃｏｄｅ、ａｌｌ  ＰＬＭＮ  ＩＤを報告する。【００３０】
ステップＳ６において、基地局２１は、移動端末装置１０から報告されたＰＣＩ、ＥＣＧＩ、ｔｒａｃｋｉｎｇ  ａｒｅａ  ｃｏｄｅ、ａｌｌ  ＰＬＭＮ  ＩＤを用いて隣接関係機能に基地局２０ａ、２０ｂのいずれかまたは双方を追加して含めるか否かを決定する。その後の隣接関係機能の処理に関しては、従来から知られた技術であり、本発明とは直接係らないのでその説明を省略する。【００３１】
なお、以上の説明では、移動端末装置１０は、２つのアンテナ１１ａ、１１ｂと２つの受信部１２ａ、１２ｂを備えて、２つの基地局２０ａ、２０ｂからそれぞれ受信信号を並行して受信する例を示した。しかしながら、アンテナおよび受信部をそれぞれ３つ以上備えれば、３つ以上の基地局からそれぞれ受信信号を同時に並行して受信して処理することが可能であることはいうまでもない。【００３２】
以上のように動作するシステムに関し、移動端末装置１０が周辺セルのレベル測定と報知情報の受信とを複数のアンテナおよび複数の受信部で同時に並行して行うことでＡＮＲ機能に係る処理時間の短縮が可能となる。【００３３】
今後、ＣＳＧ（Ｃｌｏｓｅｄ  Ｓｕｂｓｃｒｉｂｅｒ  Ｇｒｏｕｐ）等のフェムトセルが増えることで、セルの検出数が多くなることが予想される。このような場合に、本実施例の移動端末装置によれば、受信処理時間の短縮に多大な効果を奏する。【００３４】
本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００３５】
１０  移動端末装置
１１ａ、１１ｂ  アンテナ
１２ａ、１２ｂ  受信部
１３  送信部
１４  制御部
２０ａ、２０ｂ、２１  基地局
【図１】
2013129563.tif 000003
【図２】
2013129563.tif 000004
【図３】
2013129563.tif 000005
【国際調査報告】
2013129563.tif 000006
2013129563.tif 000007
2013129563.tif 000008
2013129563.tif 000009